(57)【要約】【課題】記録媒体の上側に媒体回転部があり、記録媒体を偏芯することなく媒体回転部に確実にチャッキングできる、安価な機構を提供する。【解決手段】本発明による情報記録再生装置におけるチャッキング部材（クランプとキャップ）のキャップに、従来のテーパードコーンと同様の機能を発揮することのできる位置決め機構（可倒式部材）を設けている。従来はこのテーパードコーンはクランプ部材に設けられていることが多いが、本発明は、特に情報記録媒体の上方から情報の読み取りを実行するものであるため、クランプ部材をテーパードコーン状に構成することは困難であり、キャップの方に位置決め機構を設けるようにしたのである。【選択図】図６
2009059459.tif 000002
【特許請求の範囲】
【請求項１】
カートリッジに収納されたトレイに搭載された情報記録媒体に対して情報の記録及び／又は再生を行う情報記録再生装置であって、
前記カートリッジから前記トレイを引き出す、トレイ引き出し手段と、
前記引き出されたトレイの上方に位置し、前記情報記録媒体を取り付けるためのクランプ部と、
前記引き出されたトレイの下方に配置され、前記情報記録媒体を載置して昇降可能なキャップと、
前記情報記録媒体の上方から情報の記録及び／又は再生を実行するための情報読み取り手段と、を備え、
前記キャップは、前記情報記録媒体を載置したときに位置決めするための位置決め手段を含み、
前記キャップは、その上昇途中に前記情報記録媒体を載せ、さらに上昇を続けて前記クランプ部と嵌合し、前記情報記録媒体をチャッキングすることを特徴とする情報記録再生装置。
【請求項２】
前記クランプ部は雄部材で構成され、前記キャップは雌部材で構成されていることを特徴とする請求項１に記載の情報記録再生装置。
【請求項３】
前記位置決め手段は、前記情報記録媒体の装着用穴に挿入され、前記キャップにおける媒体の載置位置に前記情報記録媒体を誘導することを特徴とする請求項１又は２に記載の情報記録再生装置。
【請求項４】
前記位置決め手段は、前記クランプ部の押下により倒れる複数の可倒式部材で構成され、前記クランプと前記キャップが嵌合するときには、前記可倒式部材は前記キャップのベース部材の収納スペースに収納されることを特徴とする請求項１乃至３の何れか１項に記載の情報記録再生装置。
【請求項５】
前記位置決め手段は、前記クランプ部の押下により倒れる一体型の調芯部材で構成され、前記クランプと前記キャップが嵌合するときには、前記一体型の調芯部材は反発力を持って潰れ、前記キャップのハウジング部材に収納されることを特徴とする請求項１乃至３の何れか１項に記載の情報記録再生装置。
【請求項６】
情報記録再生装置に情報記録媒体をチャッキングするためのキャップであって、
ベース部材と、
前記ベース部材の中心近傍に設けられた複数の可倒式部材と、を備え、
前記複数の可倒式部材が前記情報記録媒体の中心穴を貫通した場合、前記キャップの中心位置に対する前記情報記録媒体の中心位置が符合することを特徴としたキャップ。
【請求項７】
前記複数の可倒式部材は、チャッキング前、前記キャップの中心位置に向かって傾斜していることを特徴とする請求項６に記載のキャップ。
【請求項８】
前記ベース部材には収納スペースが設けられており、
前記複数の可倒式部材は、チャッキング時には、前記収納スペースに収納されることを特徴とする請求項６又は７に記載のキャップ。
【請求項９】
情報記録再生装置に情報記録媒体をチャッキングするためのキャップであって、
ハウジング部材と、
前記ハウジング部材の収納された一体型調芯部材と、を備え、
前記一体型調芯部材は、放射状に延設された複数の延設部位を有し、前記情報記録媒体の中心穴を貫通した場合、前記キャップの中心位置に対する前記情報記録媒体の中心位置が符合することを特徴としたキャップ。
【請求項１０】
前記一体型調芯部材は、チャッキング前は各延設部位によって山形形状をなし、チャッキング後は前記ハウジング内でクランパによって潰されて収容されることを特徴とする請求項９に記載のキャップ。
【発明の詳細な説明】
【技術分野】
【０００１】
本発明は、情報記録再生装置、及びそれに用いられるキャップに関し、例えば、情報記録媒体の装着時の偏芯を防止する機構を備えた情報記録再生装置、及びそれに用いられるキャップに関するものである。
【背景技術】
【０００２】
近年、コンピュータ用情報のみならず、音声や静止画像、動画像などの情報を保存するための記録媒体として光情報記録媒体が実用化されている。例えば非特許文献１に示されるように、１．２ｍｍ厚の光ディスクを３ｍｍ厚のトレイに入れ、それを複数段重ねたディスクカートリッジ（ディスクの変形を防ぐ全周受けトレイ式マガジン）が製品化されている。このように、光情報記録媒体は更なる高密度化や高速転送化に向け開発が進められているが、同時に記録再生を行うドライブ装置の将来的な形としての薄型化や小型化、あるいは媒体収納時の軽量小型化等を見据えると、光情報記録媒体自体の厚みはより薄いほうが望ましい。そして、その実現を狙って厚さ０．３ｍｍ以下の薄型情報記録媒体の開発が進められている。この薄型情報記録媒体は、薄いトレイに搭載し、さらにそれを複数枚積層してカートリッジの内部に納める。このようにトレイに搭載された薄型情報記録媒体は、記録再生装置に装着して固定される。固定する部材としては例えばクランパ部材を含むチャッキング機構がある。例えば、特許文献１に記載のチャッキング機構では、情報記録媒体（光ディスク）を固定するディスク回転部が凸形の形状に構成され、先端にテーパーが設けられている。この凸形に情報記録媒体のセンター穴が挿入され凹形のクランパで情報記録媒体が固定される。なお、回転部の凸形には、磁石が埋め込まれており、鉄片の埋め込まれたクランパを磁気吸引力で吸引して記録媒体とクランパ部材を回転部に固定する構成をなしている。
【０００３】
【非特許文献１】http://www.jvc-victor.co.jp/pro/library/product/mc-9200/option.html「ディスクの変形を防ぐ全周受けトレイ式マガジン」
【特許文献１】特開２０００−２０７８６２号公報
【発明の開示】
【発明が解決しようとする課題】
【０００４】
しかしながら、特許文献１に記載のクランパを、トレイに載った情報記録媒体の上側に媒体回転部があり下側にクランパが配置されたＡ面記録再生装置に適用した場合、情報記録媒体をクランパに載せて媒体回転部まで移動し、固定するためクランパに載せた情報記録媒体が位置ずれを起こして正確に固定することが困難である。より詳細にこの問題を説明すると、以下の通りである。
【０００５】
即ち、情報記録媒体を記録再生させる装置内部において、まず、カートリッジから情報記録媒体を取り出すべく内部のトレイを引き出す。そして、そのトレイの上方に位置した情報の記録再生用ヘッドに情報記録媒体を取り付けるために、引き出されたトレイの下方に配置されたキャップが上昇し、その上昇途中で情報記録媒体を載せる。さらにキャップが上昇を続けて情報記録再生用ヘッドに突き当たり、キャップを介して情報記録媒体をヘッドに押し付けて取り付ける。多くの場合は、情報記録媒体の記録再生用ヘッドのクランプ部分が雄（凸）であり、一方それに対応するキャップの部分が雌（凹）である。このため、チャッキング動作を行うとき、キャップに載せられただけの情報記録媒体は、そのキャップ上において位置が定まらず、中心位置がずれたそのまま情報記録媒体に押し付けられる場合もある。すると、記録再生用ヘッドのクランプ凸部分に情報記録媒体の中心穴が衝突してかじりが生じ、その結果、クランプ動作ができない場合がある。また、クランプが出来たとしても、ずれた装置で取り付けられているために、その状態で記録再生を行うべく回転を始めると、偏芯によって振動が生じ、また、記録再生用の光ビームスポットが、偏芯が大きいために追従が困難になり、ついには脱輪してしまったりするなどの問題が生じてしまう。そうなると、ずれた情報記録媒体を元の位置に戻すのは困難で、記録再生装置にセンサーとアクチュエータを多数組み合わせた複雑なロボットアームを組み込んで、情報記録媒体の異常位置を検出したら、その複雑な機構を用いて修復させるなどの手段を取るしかない。このような手段を設けることは装置自体のコストアップにつながり、好ましくない。
【０００６】
本発明はこのような状況に鑑みてなされたものであり、記録媒体の上側に媒体回転部があり、記録媒体を偏芯することなく媒体回転部に確実にチャッキングできる、安価な機構を提供するものである。
【課題を解決するための手段】
【０００７】
上記課題を解決するために、本発明による情報記録再生装置におけるチャッキング部材（クランプとキャップ）のキャップに、従来のテーパードコーンと同様の機能を発揮することのできる位置決め機構（可倒式部材）を設けている。従来はこのテーパードコーンはクランプ部材に設けられていることが多いが、本発明は、特に情報記録媒体の上方から情報の読み取りを実行するものであるため、クランプ部材をテーパードコーン状に構成することは困難であり、キャップの方に位置決め機構を設けるようにしたのである。
【０００８】
すなわち、本発明による情報記録再生装置は、カートリッジに収納されたトレイに搭載された情報記録媒体に対して情報の記録及び／又は再生を行う情報記録再生装置であって、カートリッジから前記トレイを引き出す、トレイ引き出し手段と、引き出されたトレイの上方に位置し、情報記録媒体を取り付けるためのクランプ部と、引き出されたトレイの下方に配置され、情報記録媒体を載置して昇降可能なキャップと、情報記録媒体の上方から情報の記録及び／又は再生を実行するための情報読み取り手段と、を備える。そして、キャップは、情報記録媒体を載置したときに位置決めするための位置決め手段を含み、その上昇途中に情報記録媒体を載せ、さらに上昇を続けてクランプ部と嵌合し、情報記録媒体をチャッキングする。なお、クランプ部は雄部材で構成され、キャップは雌部材で構成されている。
【０００９】
そして、位置決め手段は、情報記録媒体の装着用穴に挿入され、キャップにおける媒体の載置位置に情報記録媒体を誘導する。また、位置決め手段は、クランプ部の押下により倒れる複数の可倒式部材で構成され、クランプとキャップが嵌合するときには、可倒式部材はキャップのベース部材の収納スペースに収納される。
【００１０】
本発明によるキャップは、情報記録再生装置に情報記録媒体をチャッキングするためのキャップであって、ベース部材と、ベース部材の中心近傍に設けられた複数の可倒式部材と、を備える。そして、複数の可倒式部材が情報記録媒体の中心穴を貫通した場合、キャップの中心位置に対する情報記録媒体の中心位置が符合するようになっている。
【００１１】
複数の可倒式部材は、チャッキング前、前記キャップの中心位置に向かって傾斜し、テーパードコーンと同様の機能を有するように構成される。また、ベース部材には収納スペースが設けられており、複数の可倒式部材は、チャッキング時には、収納スペースに収納される。
【００１２】
また、本発明によるキャップは、情報記録再生装置に情報記録媒体をチャッキングするためのキャップであって、ハウジング部材と、ハウジング部材の収納された一体型調芯部材と、を備える。そして、一体型調芯部材は、放射状に延設された複数の延設部位を有し
、情報記録媒体の中心穴を貫通した場合、キャップの中心位置に対する情報記録媒体の中心位置が符合する。また、一体型調芯部材は、チャッキング前は各延設部位によって山形形状（テーパーコーン形状）をなし、チャッキング後はハウジング内でクランパによって潰されて収容される。
【００１３】
さらなる本発明の特徴は、以下本発明を実施するための最良の形態および添付図面によって明らかになるものである。
【発明の効果】
【００１４】
本発明のチャッキング機構によれば、記録媒体の上側に媒体回転部があり、記録媒体を偏芯することなく媒体回転部に確実にチャッキングでき、しかもその機構は非常に安価に実現することができる。
【発明を実施するための最良の形態】
【００１５】
以下、添付図面を参照して本発明の実施形態について説明する。ただし、本実施形態は本発明を実現するための一例に過ぎず、本発明を限定するものではないことに注意すべきである。また、各図において共通の構成については同一の参照番号が付されている。
【００１６】
＜第１の実施形態＞
（１）カートリッジ及び薄型情報記録媒体用トレイの構成
図１は、カバー付きディスクトレイ１と薄型情報記録媒体用カートリッジ１６を示している。薄型情報記録媒体用カートリッジ１６には、薄型情報記録媒体（例えば、厚さ３００μｍ以下で、可撓性のある光フレキシブルディスク）１３がトレイ１に搭載され、媒体１３をそれぞれ搭載した複数のトレイ１が収容されている。この薄型情報記録媒体用カートリッジ１６は、情報記録再生装置に装着される。そして、一枚一枚薄型情報記録媒体１３が取り出されて情報の記録再生動作に供される。また、カートリッジ１６の側面部には、情報記録再生装置に対する位置合わせを行い、装着ズレを防止するための係合溝１７が設けられている。ただし、位置をあわせて固定するための機構は今この限りではなく、記載はしないが、円筒形のピンやテーパー状突起などを利用したものでもよい。
【００１７】
カバー付トレイ１は、薄型のシート（例えば、ＰＥＴ材）で構成されたカバー１１を有している。そして、そのカバー１１は、トレイ１の後端部１５で一定の幅を持って固定（例えば、糊付け）されている。また、カバー付トレイ１の４隅には、トレイに搭載された薄型情報記録媒体を持ち上げるための機構の４つの爪部が入り込み、薄型情報記録媒体１３の裏面を下から保持できるようにする貫通孔１２（図２参照）も受けられている。この場合、薄型情報記録媒体１３をトレイ１から浮上するなどして引き離してホールドさせ、トレイ１をカートリッジ１６に退避させたのち、キャップを上昇させる（具体的動作については後述する）。また、トレイ１の前端部には、トレイ挿抜部材（例えば、図９に示される部材）がフックし、カートリッジ１６に対してトレイ１を挿抜可能にするためのフック孔１４が設けられている。
【００１８】
なお、図２Ａに示されるように、トレイ１の４隅に貫通孔１２を設けるようにしたのは、トレイ１の中央に穴が設けられておらず、キャップ部材が上昇して薄型情報記録媒体１３をクランプ部材にチャックする構成となっていないからである。従って、図２Ｂに示されるように、トレイ１の中央にキャップ通過用孔１８（直径は後記するキャップの直径よりも大きい）が設けられている場合には、４隅の貫通孔１２を設けなくても例えば両面の薄型情報記録媒体の表面に対して記録再生を実行することが可能となる。
【００１９】
（２）情報記録再生ユニットの概略構成
図３は、情報記録再生ユニットの簡略した構成を示しており、特に、両面記録再生用の
薄型情報記録媒体の表面に対して情報記録／再生動作を実行する構成に関わるものである。
【００２０】
図３において、カートリッジ１６の係合溝１７に情報記録再生ユニット３０の係合部３１が嵌ることにより、カートリッジ１６が情報記録再生ユニット３０に固定され、記録再生を行うための配置状態になる。また、情報記録媒体再生ユニット３０は、その上面部に、情報の記録や再生を行う光ヘッド３３と、薄型情報記録媒体１３をチャッキングして回転させるためのクランプ部３２とを搭載している。また、図３には示されていないが、後述の昇降可能なキャップ部が搭載されている。薄型情報記録媒体１３は、クランプ部３２とキャップ部とによって挟まれて固定されることによって、回転しても脱落しないようになっている。さらに、光ヘッド３３にはレーザーで情報記録媒体の情報を読み書きするピックアップレンズユニットが搭載されている。なお、キャップ部が大きいと、媒体回転時に回転による遠心力によってキャップ部が外れてしまう危険性がある。よって、クランプ部は小さく、キャップ部は薄く、軽い方が好ましい。
【００２１】
一方、図２Ｂのトレイを用いる場合の情報記録再生ユニットの別の形態は、図９に示されるような構成を採ることができる。図９は、トレイ１から薄型情報記録媒体１３がキャップ５１（図５で説明）ごと上昇する様子を示している。情報記録再生ユニットには引き出し台９１が設けられており、さらに、引き出し台９１には押さえ板バネ９２が設けられている。カートリッジ１６から引き出されたトレイ１は、このトレイ引き出し台９１の上を擦らせて引き出され、引ききりの位置まで引かれて板ばね９２に挟まれて固定される。そして、キャップ５１がトレイ１の穴を潜って上昇し、上部に位置する記録再生用ヘッドのクランプ部３２へとクランプされ、薄型情報記録媒体１３がチャッキングされる。
【００２２】
（３）チャッキング機構の構成
図４は、媒体回転機構及び光ヘッドが媒体の下側に設けられ、媒体の下側から情報を読み取る構成と同じ考えを採った場合の、情報記録再生ユニット３０におけるチャッキング機構の概略構成を示す図である。図４に示されるように、クランプ部３２は雄部材により、キャップ４１は雌部材によって構成されている。
【００２３】
図４Ａ及びＢは、正常にチャッキングできたときの状態を示す図である。図４Ａにおいて、薄型情報記録媒体１３を載置してキャップ４１が上昇し、キャップ４１の凸部４１１とクランプ部３２の凹部３２１とが嵌合する。凹部３２１は磁性を持つので、金属製のクランプ部材３２とキャップ４１は磁力によって固定される。図４Ａ及びＢの場合には、クランプ部３２とキャップ４１と薄型情報記録培媒体１３のそれぞれの中心線が一致するので偏芯がなく、正常にチャッキングされている。
【００２４】
一方、図４Ｃに示されるように、キャップ４１上に載置された薄型情報記録媒体１３の中心線がずれていると、偏芯したままの状態でチャッキングされてしまう。今回のように情報記録再生装ユニットを逆にして使用する場合、多くは、図４Ｃのように薄型情報記録媒体は位置がずれたままキャップに載ってしまう。すると、そのままチャッキングしようとした場合、図に示すように情報記録媒体がクランプ部分に噛み込んでしまったりする。そのため、正常なチャッキングをすることが困難になる。なお、記録再生装置が正常な姿勢（逆にしない姿勢）で用いられる場合にはこのような問題は生じない。その理由は、情報記録媒体のチャッキング時、前記キャップよりも先に情報記録媒体の中心穴がクランプ部３２の雄（凸）部に嵌合するため、その凸部の中心出し効果によって、情報記録媒体の中心が決まるためである。
【００２５】
（ｉ）そこで、本発明の第１の実施形態では、図５に示されるような構造を有する改良型キャップ５１を導入する。図５Ａは、キャップ５１を上から見た図であり、図５Ｂはキャ
ップ５１を側面から見た図であり、図５Ｃは図５Ａのａ−ａ’のおける断面図である。図５に示されるように、改良型キャップ５１は、凹型のベース部材５１１と、ベース部材に取り付けられた可倒式部材５１２（図５では４つ設けられているが４つに限られるものではない）と、ベース部材中心に設けられた磁性凸部５１４と、で構成されている。可倒式部材５１２は、ベース部材５１１にバネ部材５１３によって回転可能なように軸支されている。従って、可倒式部材５１２がクランプ部３２によって上から押下されると、ベース部材５１１の底面まで倒れ、クランプ部３２の押下がなくなると、バネ部材５１３の反発力により立ち上がって図５Ｂ及びＣに示される状態に戻る。また、図５Ｂに示されるように、立ち上がった状態の４つの可倒式部材５１２はそれぞれ内側に傾斜しているので、外縁部が丁度テーパーコーンと同様の作用を有することになる。つまり、傾斜した４つの可倒式部材５１２によって薄型情報記録媒体１３が誘導されて偏芯が無いように位置決めされる。その様子を示したのが図６Ａ及びＢである。
【００２６】
図６Ａに示されるように、薄型情報記録媒体１３がトレイ１から取り出され、キャップ５１上に載置される。このとき、４つの可倒式部材５１２が薄型情報記録媒体１３の中心穴に入り、同媒体１３をベース部材の媒体載置面５１５まで誘導する。これによって薄型情報記録媒体１３の偏芯が無くなる。そして、薄型情報記録媒体１３を載置したキャップ５１はクランプ部３２と嵌合するまで上昇する（図６Ａ参照）。可倒式部材５１２はクランプ部３２による押下によって倒れ、また、磁性を有する凸部５１４と凹部３２１とが磁力によって固定される（図６Ｂ参照）。このような構成を有する改良型キャップ５１を用いれば、チャッキング時に薄型情報記録媒体１３の位置ずれによる偏芯が発生するのを防止することができる。また、チャッキング時には可倒式部材５１２は倒れてベース部材５１１内の収納スペースに収納されるので、情報記録再生ユニット３０の機能を損ねることはない。
【００２７】
（ii）キャップの変形例
図５Ｄ及びＥは、図５Ａ乃至Ｃで示されるキャップ５１の変形例を示す図である。図５Ｄは板バネタイプの可倒式部材５２２を持つキャップを示し、図５Ｅは線バネタイプで、同様な効果を持つ可倒式部材５３２を持つキャップを示している。このように、バネ材の一端をキャップ本体に固定し、対する一端を、前記した中心に向かって傾斜する可倒式部材として兼ねることで、キャップ５１における可倒部材５１２とそれを押圧方向に反力を生じさせるバネ部材５１３の２つの部品を設ける必要が無くなり、部品点数を減らすことが出来る。なお、線バネタイプの可倒部材５３２には、板バネタイプの可倒式部材５２２と同様に押圧への反力を生じさせるために巻き部５３３を設けている。また、図示はしないが、巻き部を設けない形態もありうる。
【００２８】
（４）薄型情報記録媒体のローディングシーケンス
図７及び８は、薄型情報記録媒体１３のローディングシーケンスを説明するための図である。図７は両面記録用薄型情報記録媒体の表面の記録再生の場合に関係し、図８は裏面の記録再生の場合に関係する。
【００２９】
表面記録再生の場合（図７）は、まず、カートリッジ１６が表面用の記録再生ユニット３０にセットされ、カートリッジ１６から所望のトレイ１が引き出される（図７Ａ）。次に、媒体持ち上げ機構７２を構成する４つの爪部がトレイ１の貫通孔１２に入り込み、媒体持ち上げ機構７２は薄型情報記録媒体１３を下から保持し、その状態で上昇する（図７Ｂ）。薄型情報記録媒体１３が上昇すると、トレイ１はカートリッジ１６内に収納される（図７Ｃ）。トレイ１がカートリッジ１６内に退避すると、媒体持ち上げ機構７２が降下し、薄型情報記録媒体１３をキャップ５１上に載置する（図７Ｄ）。そして、キャップ５１が上昇し、クランプ部３２と嵌合して薄型情報記録媒体１３がチャッキングされる。チャッキング後、クランプ部３２とキャップ５１の回転に伴って薄型情報記録媒体１３も回転し、光ピックアップ３３によって情報の記録又は再生が実行される（図７Ｅ）。
【００３０】
裏面記録再生の場合（図８）は、まず、カートリッジ１６が裏面用の記録再生ユニット７１のある場所まで移動する（図８Ａ）。そして、カートリッジ１６が裏面用の記録再生ユニット７１にセットされ、カートリッジ１６から所望のトレイ１が引き出される（図８Ｂ）。次に、媒体持ち上げ機構７２を構成する４つの爪部がトレイ１の貫通孔１２に入り込み、媒体持ち上げ機構７２は薄型情報記録媒体１３を下から保持し、その状態で上昇する（図８Ｃ）。薄型情報記録媒体１３が上昇すると、トレイ１はカートリッジ１６内に収納される（図８Ｄ）。トレイ１がカートリッジ１６内に退避すると、媒体持ち上げ機構７２が降下し、薄型情報記録媒体１３を例えばテーパーコーン形状のクランプ部８３上に載置する（図８Ｅ）。そして、キャップが薄型情報記録媒体１３の中心部に被せられ、クランプ部８３と嵌合して薄型情報記録媒体１３がチャッキングされる。チャッキング後、クランプ部８３とキャップの回転に伴って薄型情報記録媒体１３も回転し、光ピックアップ８１によって情報の記録又は再生が実行される（図８Ｆ）。
【００３１】
＜第２の実施形態＞
図１０及び１１は、第２の実施形態によるチャッキング機構を説明するための図である。図１０は、キャップ部１００における一体型調芯部材１０１の構成を示す。一体型調芯部材１０１は、第１の実施形態における可倒部材５１乃至５３の作用を有するものである。また、図１１は、チャッキングのシーケンスを時系列に示している。
【００３２】
図１０に示されるように、一体型調芯部材１０１は、中心に向かい傾斜した複数の可倒式部材５１２、５２２及び５３２と同様に、中心穴１０２が形成された頂面部から放射状に延設された部位（延設部位）１０３が中心（頂面部）を盛り上げる形態で折り曲げられ、かつ、バネ特性を備えている。そして、盛り上がった中心部分に押圧がかかると、中心が押し潰され、その結果、前述の可倒式部材５１２、５２２及び５３２と同様の効果を発揮することができる。この一体型調芯部材１０１がキャップハウジング１０４に装填されることにより、キャップ部１００が構成される。なお、延設部位１０３の数は３つ以上であることが望ましいが、３つよりも４つの方が安定性の点では優れている。また、一体型調芯部材１０１は、リン青銅や非磁性のＳＵＳで構成され、厚さは１００μｍ程度が好ましい。
【００３３】
チャッキング動作時は、まず薄型情報記録媒体１３がキャップ部１００の上方に配置されると、キャップ部１００が上昇する（図１１Ａ）。さらにキャップ部１００が上昇すると、一体型調芯部材１０１が薄型情報記録媒体１３の中心穴を貫通し、薄型情報記録媒体１３がキャップ部のハウジング１０４の天面部１０６に載置される（図１１Ｂ）。チャッキング前、一体型調芯部材１０１はテーパーコーン状になっているので、薄型情報記録媒体１３の位置決めが可能となっている。
【００３４】
薄型情報記録媒体１３を載置した状態でキャップ部１００がさらに上昇すると、クランプ部３２が一体型調芯部材１０１を押し込む（図１１Ｃ）。そのままクランプ部３２が一体型調芯部材１０１を押し続けることにより、一体型調芯部材１０１は所定の反発力を持ったまま潰れ、キャップ部１００の凸部１０５とクランプ部３２の凹部３２１とが互いに嵌合し、磁力によって固定される（図１１Ｄ）。キャップ部１００とクランプ部３２が嵌合した場合、図１１Ｄに示されるように、一体型調芯部材１０１は潰れるが、キャップハウジング１０４との間に隙間１０７が形成される。このような隙間（遊び）により、クランプ部３２の凹部３２１及び／又はキャップ部１００の凸部１０５に持たせた磁力をそれ程強力にする必要はない。遊びがあるので、発生する一体型調芯部材１０１の反発力が強くないからである。よって、キャップ部１００とクランプ部３２とは外しやすくなる。また、一体型調芯部材１０１の延設部位を４つ以上とすることにより、キャップハウジング１０４の中で遊びがあったとしても安定して一体型調芯部材１０１を収容することができ、よってチャッキングの安定性を確保できるようになる。
【００３５】
なお、キャップ部１００とクランプ部３２との嵌合が外れると、一体型調芯部材１０１はその反発力により元の形状（断面が山形形状或いはテーパーコーン形状）に復元される。
【００３６】
このように、第２の実施形態では、一体型調芯部材１０１を用いているので、第１の実施形態のキャップ部５１乃至５３と比べて、部品点数が少なく、かつバネの固定も必要がないので、キャップ部の組立がより容易である。
【００３７】
＜まとめ＞
本実施形態では、チャッキング部材（クランプとキャップ）を構成するキャップに、従来のテーパードコーンと同様の機能を発揮することのできる位置決め機構（可倒式部材）を設けている。従来はこのテーパードコーンはクランプ部材に設けられていることが多いが、本実施形態は、特に情報記録媒体の上方から情報の読み取りを実行するものであるため、クランプ部材をテーパードコーン状に構成することは困難であり、キャップの方に位置決め機構を設けるようにしたのである。このようにすることにより、キャップの中心位置と情報記録媒体の中心位置とが符合し、記録再生用ヘッドに偏芯無くチャッキングすることができるようになる。
【００３８】
また、雌部材であるキャップに可倒式部材を設けるという単純な構成で薄型情報記録媒体の偏芯を防止することができるので、安価に実現でき、量産にも向いている。また、構成が単純なので、部品点数も少なく耐久性に優れるキャップを実現できる。
【００３９】
可倒式部材の代わりに、キャップがハウジング部材の収納された一体型調芯部材を備えるようにしても良い。この場合、一体型調芯部材は、放射状に延設された複数の延設部位を有し、薄型情報記録媒体の中心穴を貫通した場合、キャップの中心位置に対する情報記録媒体の中心位置が符合する。また、一体型調芯部材は、チャッキング前は各延設部位によって山形形状（テーパーコーン形状）をなし、チャッキング後はハウジング内でクランパによって潰されて収容される。このようにすることにより、安定的なチャッキングを部品手数少なく、安価に実現することができるようになる。
【図面の簡単な説明】
【００４０】
【図１】情報記録媒体が多数入ったカートリッジを示す図である。
【図２】カバー付トレイの詳細構成を示す図である。
【図３】情報記録再生ユニットの概略構成を示す図である。
【図４】クランプとキャップの構成、及びその問題点を示す図である。
【図５】本発明による改良型キャップの構成を示す図である。
【図６】本発明による改良型キャップとクランプ部とのチャッキングの様子を示す図である。
【図７】情報記録媒体をローディングし、媒体の上方から読み取りをする場合の様子を示す図である。
【図８】情報記録媒体をローディングし、媒体の下方から読み取りをする場合の様子を示す図である。
【図９】図２Ｂのトレイを用いる場合の情報記録再生ユニットの概略構成を示す図である。
【図１０】第２の実施形態によるキャプ部の一体型調芯部材の概略構成を示す図である。
【図１１】第２の実施形態によるキャップ部を用いた場合のチャッキングシーケンスを示す図である。
【符号の説明】
【００４１】
１・・・カバー付きトレイ
１３・・・薄型情報記録媒体
１６・・・カートリッジ
３２・・・クランプ部
５１，５２，５３・・・改良型キャップ
５１２・・・可倒式部材
１００・・・キャップ部（第２の実施形態）
１０１・・・一体型調芯部材
１０７・・・隙間（遊び）
【図１】
2009059459.tif 000003
【図２】
2009059459.tif 000004
【図３】
2009059459.tif 000005
【図４】
2009059459.tif 000006
【図５】
2009059459.tif 000007
【図６】
2009059459.tif 000008
【図７】
2009059459.tif 000009
【図８】
2009059459.tif 000010
【図９】
2009059459.tif 000011
【図１０】
2009059459.tif 000012
【図１１】
2009059459.tif 000013